【手続補正書】
【提出日】平成28年3月16日(2016.3.16)
【手続補正１】
【補正対象書類名】特許請求の範囲
【補正対象項目名】全文
【補正方法】変更
【補正の内容】
【特許請求の範囲】
【請求項１】
変換係数のサブセットを示すデータを復号する方法であって、前記変換係数がビデオデータのブロックの残差データを示し、前記方法が、
変換係数の前記サブセットがゼロよりも大きい絶対値を有する少なくとも１つの特定の変換係数を含むことを、１つまたは複数の有効性フラグが示す場合、変換係数の前記サブセットが１よりも大きい絶対値を有する少なくとも１つの変換係数を含むかどうかを示す関連付けられたデータを備える第１のグループフラグに基づいて、変換係数の前記サブセットにおいて、１よりも大きい絶対値を有する変換係数はないことを判断することと、ここにおいて変換係数の前記サブセットが複数の変換係数を備え、
変換係数の前記サブセットにおいて、１よりも大きい絶対値を有する変換係数はないとの前記判断に基づいて、変換係数の前記サブセットにおいて１つまたは複数の復号パスをスキップすることと、前記復号パスが、変換係数の前記サブセットに関連付けられたレベル情報を復号することに関係する、
を備える、方法。
【請求項２】
前記有効性フラグを復号することと、
変換係数の前記サブセットが１よりも大きい絶対値を有する少なくとも１つの変換係数を含むことを、前記第１のグループフラグが示す場合、変換係数の前記サブセットにおける前記変換係数の１よりも大きいフラグを復号することと、ここにおいて前記１よりも大きいフラグが、前記特定の変換係数が１よりも大きい絶対値を有するかどうかを示す、
をさらに備え、
ここにおいて変換係数の前記サブセットが１よりも大きい絶対値を有する少なくとも１つの変換係数を含まないことを、前記第１のグループフラグが示す場合、変換係数の前記サブセットにおける１つまたは複数の復号パスをスキップすることが、前記１よりも大きいフラグを復号しないことを備え、好ましくは、
変換係数の前記サブセットが１よりも大きい絶対値を有する少なくとも１つの変換係数を含まないことを、前記第１のグループフラグが示す場合、変換係数の前記サブセットにおける１つまたは複数の復号パスをスキップすることが、２よりも大きいフラグと、レベル残留シンタックス要素とを復号しないことをさらに備える、
請求項１に記載の方法。
【請求項３】
少なくとも１つの変換係数が１よりも大きい絶対値を有することを、１つもしくは複数の１よりも大きいフラグまたは前記第１のグループフラグが示す場合、変換係数の前記サブセットが２よりも大きい絶対値を有する任意の変換係数を含むかどうかを示す第２のグループフラグを復号することと、
変換係数の前記サブセットが２よりも大きい絶対値を有する変換係数を含むことを、前記第２のグループフラグが示す場合、１よりも大きい絶対値を有するものとして示される変換係数の前記サブセットにおける前記変換係数の２よりも大きいフラグを復号することと、ここにおいて前記２よりも大きいフラグが、前記特定の変換係数が２よりも大きい絶対値を有するかどうかを示す、
をさらに備え、
ここにおいて変換係数の前記サブセットが２よりも大きい絶対値を有する変換係数を含まないことを、前記第２のグループフラグが示す場合、変換係数の前記サブセットにおける１つまたは複数の復号パスをスキップすることが、前記２よりも大きいフラグを復号しないことを備え、好ましくは、
変換係数の前記サブセットが２よりも大きい絶対値を有する変換係数を含まないことを、前記第２のグループフラグが示す場合、変換係数の前記サブセットにおける１つまたは複数の復号パスをスキップすることが、レベル残留シンタックス要素を復号しないことをさらに備える、
請求項１に記載の方法。
【請求項４】
前記第１のグループフラグを復号することが、
１つまたは複数の所定の基準に基づいて前記第１のグループフラグの値を推測すること
を備え、好ましくは、
前記所定の基準が、変換係数の前記サブセットにおけるＤＣ係数の存在を含み、さらに好ましくは、
前記所定の基準が、変換係数の前記サブセットにおける有効係数の閾値数を含む、
請求項１に記載の方法。
【請求項５】
変換係数のサブセットを示すデータを符号化する方法であって、前記変換係数がビデオデータのブロックの残差データを示し、前記方法が、
変換係数の前記サブセットにおいて、１よりも大きい絶対値を有する変換係数はないことを判断することと、
変換係数の前記サブセットがゼロよりも大きい絶対値を有する少なくとも１つの特定の変換係数を含むことを、１つまたは複数の有効性フラグが示す場合、変換係数の前記サブセットが１よりも大きい絶対値を有する少なくとも１つの変換係数を含むかどうかを示す関連付けられたデータを備える第１のグループフラグを符号化することと、ここにおいて変換係数の前記サブセットが複数の変換係数を備え、
変換係数の前記サブセットにおいて、１よりも大きい絶対値を有する変換係数はないとの前記判断に基づいて、変換係数の前記サブセットにおいて１つまたは複数の符号化パスをスキップすることと、前記符号化パスが、変換係数の前記サブセットに関連付けられたレベル情報を符号化することに関係する、
を備える、方法。
【請求項６】
前記有効性フラグを符号化することと、
変換係数の前記サブセットが１よりも大きい絶対値を有する少なくとも１つの変換係数を含むことを、前記第１のグループフラグが示す場合、変換係数の前記サブセットにおける前記変換係数の１よりも大きいフラグを符号化することと、ここにおいて前記１よりも大きいフラグが、前記特定の変換係数が１よりも大きい絶対値を有するかどうかを示す、
をさらに備え、
ここにおいて変換係数の前記サブセットが１よりも大きい絶対値を有する少なくとも１つの変換係数を含まないことを、前記第１のグループフラグが示す場合、変換係数の前記サブセットにおける１つまたは複数の符号化パスをスキップすることが、前記１よりも大きいフラグを符号化しないことを備え、好ましくは、
変換係数の前記サブセットが１よりも大きい絶対値を有する少なくとも１つの変換係数を含まないことを、前記第１のグループフラグが示す場合、変換係数の前記サブセットにおける１つまたは複数の符号化パスをスキップすることが、２よりも大きいフラグと、レベル残留シンタックス要素とを符号化しないことをさらに備える、
請求項５に記載の方法。
【請求項７】
少なくとも１つの変換係数が１よりも大きい絶対値を有することを、１つもしくは複数の１よりも大きいフラグまたは前記第１のグループフラグが示す場合、変換係数の前記サブセットが２よりも大きい絶対値を有する任意の変換係数を含むかどうかを示す第２のグループフラグを符号化することと、
変換係数の前記サブセットが２よりも大きい絶対値を有する変換係数を含むことを、前記第２のグループフラグが示す場合、１よりも大きい絶対値を有するものとして示される変換係数の前記サブセットにおける前記変換係数の２よりも大きいフラグを符号化することと、ここにおいて前記２よりも大きいフラグが、前記特定の変換係数が２よりも大きい絶対値を有するかどうかを示す、
をさらに備え、
ここにおいて変換係数の前記サブセットが２よりも大きい絶対値を有する変換係数を含まないことを、前記第２のグループフラグが示す場合、変換係数の前記サブセットにおける１つまたは複数の符号化パスをスキップすることが、前記２よりも大きいフラグを符号化しないことを備え、好ましくは、
変換係数の前記サブセットが２よりも大きい絶対値を有する変換係数を含まないことを、前記第２のグループフラグが示す場合、変換係数の前記サブセットにおける１つまたは複数の符号化パスをスキップすることが、レベル残留シンタックス要素を符号化しないことをさらに備える、
請求項５に記載の方法。
【請求項８】
前記第１のグループフラグを符号化することが、
１つまたは複数の所定の基準に基づいて前記第１のグループフラグの値を推測すること
を備え、好ましくは、
前記所定の基準が、変換係数の前記サブセットにおけるＤＣ係数の存在を含み、さらに好ましくは、
前記所定の基準が、変換係数の前記サブセットにおける有効係数の閾値数を含む、
請求項５に記載の方法。
【請求項９】
変換係数のサブセットを示すデータをコーディングするように構成された装置であって、前記変換係数がビデオデータのブロックの残差データを示し、前記装置が、
変換係数の前記サブセットがゼロよりも大きい絶対値を有する少なくとも１つの特定の変換係数を含むことを、１つまたは複数の有効性フラグが示す場合、変換係数の前記サブセットが１よりも大きい絶対値を有する少なくとも１つの変換係数を含むかどうかを示す関連付けられたデータを備える第１のグループフラグに基づいて、変換係数の前記サブセットにおいて、１よりも大きい絶対値を有する変換係数はないことを判断するための手段と、ここにおいて前記サブセットが複数の変換係数を備え、
変換係数の前記サブセットにおいて、１よりも大きい絶対値を有する変換係数はないとの前記判断に基づいて、変換係数の前記サブセットにおいて１つまたは複数のコーディングパスをスキップするための手段と、前記コーディングパスが、変換係数の前記サブセットに関連付けられたレベル情報をコーディングすることに関係する、
を備える、装置。
【請求項１０】
前記有効性フラグをコーディングするための手段と、
変換係数の前記サブセットが１よりも大きい絶対値を有する少なくとも１つの変換係数を含むことを、前記第１のグループフラグが示す場合、変換係数の前記サブセットにおける前記変換係数の１よりも大きいフラグをコーディングするための手段と、ここにおいて前記１よりも大きいフラグが、前記特定の変換係数が１よりも大きい絶対値を有するかどうかを示す、
をさらに備え、
ここにおいて変換係数の前記サブセットが１よりも大きい絶対値を有する少なくとも１つの変換係数を含まないことを、前記第１のグループフラグが示す場合、変換係数の前記サブセットにおける１つまたは複数のコーディングパスをスキップするための前記手段が、前記１よりも大きいフラグをコーディングしないための手段を備える、
請求項９に記載の装置。
【請求項１１】
変換係数の前記サブセットが１よりも大きい絶対値を有する少なくとも１つの変換係数を含まないことを、前記第１のグループフラグが示す場合、変換係数の前記サブセットにおける１つまたは複数のコーディングパスをスキップするための前記手段が、２よりも大きいフラグと、レベル残留シンタックス要素とをコーディングしないための手段をさらに備える、請求項１０に記載の装置。
【請求項１２】
少なくとも１つの変換係数が１よりも大きい絶対値を有することを、１つもしくは複数の１よりも大きいフラグまたは前記第１のグループフラグが示す場合、変換係数の前記サブセットが２よりも大きい絶対値を有する任意の変換係数を含むかどうかを示す第２のグループフラグをコーディングするための手段と、
変換係数の前記サブセットが２よりも大きい絶対値を有する変換係数を含むことを、前記第２のグループフラグが示す場合、１よりも大きい絶対値を有するものとして示される変換係数の前記サブセットにおける前記変換係数の２よりも大きいフラグをコーディングするための手段と、ここにおいて前記２よりも大きいフラグが、前記特定の変換係数が２よりも大きい絶対値を有するかどうかを示す、
をさらに備え、
ここにおいて変換係数の前記サブセットが２よりも大きい絶対値を有する変換係数を含まないことを、前記第２のグループフラグが示す場合、変換係数の前記サブセットにおける１つまたは複数のコーディングパスをスキップするための前記手段が、前記２よりも大きいフラグをコーディングしないための手段を備える、
請求項９に記載の装置。
【請求項１３】
変換係数の前記サブセットが２よりも大きい絶対値を有する変換係数を含まないことを、前記第２のグループフラグが示す場合、変換係数の前記サブセットにおける１つまたは複数のコーディングパスをスキップするための前記手段が、レベル残留シンタックス要素をコーディングしないための手段をさらに備える、請求項１２に記載の装置。
【請求項１４】
前記第１のグループフラグをコーディングするための前記手段が、
１つまたは複数の所定の基準に基づいて前記第１のグループフラグの値を推測するための手段
を備え、
前記所定の基準が、変換係数の前記サブセットにおけるＤＣ係数の存在を含み、さらに好ましくは、
前記所定の基準が、変換係数の前記サブセットにおける有効係数の閾値数を含む、
請求項９に記載の装置。
【請求項１５】
実行されると、変換係数のサブセットを示すデータをするように構成されたデバイスの１つまたは複数のプロセッサに、前記変換係数はビデオデータのブロックの残差データを示し、
変換係数の前記サブセットがゼロよりも大きい絶対値を有する少なくとも１つの特定の変換係数を含むことを、１つまたは複数の有効性フラグが示す場合、変換係数の前記サブセットが１よりも大きい絶対値を有する少なくとも１つの変換係数を含むかどうかを示す関連付けられたデータを備える第１のグループフラグに基づいて、変換係数の前記サブセットにおいて、１よりも大きい絶対値を有する変換係数はないことを判断することと、ここにおいて前記サブセットが複数の変換係数を備え、
変換係数の前記サブセットにおいて、１よりも大きい絶対値を有する変換係数はないとの前記判断に基づいて、変換係数の前記サブセットにおいて１つまたは複数のコーディングパスをスキップすることと、前記コーディングパスが、変換係数の前記サブセットに関連付けられたレベル情報をコーディングすることに関係する、
を行わせる命令を記憶する、コンピュータ可読記憶媒体。